(57)【要約】  ごつごつ感を抑え、しかも収納スペースが小さく、柔軟で軽量な人体用スペーサを提供する。身体に当接する側に形成された枠状部２１と一端が枠状部に連なり枠状部から起立するように形成された４本の柱部２２と柱部２２の他端を連結する起立連結部２３とを有する多数の凸部２０と、隣り合う枠状部２１を連結する可撓連結部２６とを備えている。本実施形態のスペーサは、枠状部２１が形成された側が身体に当接する側となり、起立連結部が形成された側がクッション等に当接する側となる。
2007094130.tif 000002
【特許請求の範囲】
【請求項１】
枠状部と、一端が前記枠状部から起立するように形成された柱部、壁部又は柱部と壁部からなる起立部と、前記起立部の他端を連結する起立連結部とを有する凸部と、
前記凸部同士を連結する可撓性のある可撓連結部と、を備え、
前記凸部は１ｍ２あたり少なくとも１００個形成され、
前記凸部及び前記可撓連結部はプラスチックで一体的に形成され、
身体の近傍に空気が流通する為の空間を確保することを特徴とする人体用スペーサ。
【請求項２】
前記可撓連結部は前記凸部に４個設けたものであることを特徴とする請求項１記載の人体用スペーサ。
【請求項３】
前記可撓連結部は、帯状部材により、前記起立連結部が形成されている側に突き出すように撓んで形成されていることを特徴とする請求項１又は２記載の人体用スペーサ。
【請求項４】
スペーサが構成する空間の体積に対して密度が３０％以下であることを特徴する請求項１乃至３の何れか１項に記載の人体用スペーサ
【請求項５】
前記枠状部及び前記可撓連結部は、前記枠状部が形成されている側のスペーサ面の全スペーサ面積に対して前記枠状部及び前記可撓連結部が形成されていない開口部の面積が５０％〜９５％の割合になる様に形成されていることを特徴とする請求項１乃至４の何れか１項に記載の人体用スペーサ。
【請求項６】
１ｍ２あたりの重量が１kg以内であることを特徴とする請求項１乃至５の何れか１項に記載の人体用スペーサ。
【請求項７】
前記凸部の高さが３mm〜50mmであることを特徴とする請求項１乃至６の何れか１項に記載の人体用スペーサ
【請求項８】
前記凸部の耐圧力は１ｍ２あたり少なくとも１０００ｋｇである事を特徴とする請求項１乃至７の何れか１項に記載の人体用スペーサ。
【請求項９】
前記可撓連結部は前記枠状部に連なることを特徴とする請求項１乃至８の何れか１項に記載の人体用スペーサ。
【請求項１０】
前記枠状部は、略四角形状に形成され、前記起立部は前記枠状部の対向する２辺の各辺から起立する２つの壁部であることを特徴とする請求項９記載の人体用スペーサ。
【請求項１１】
請求項１乃至１０の何れか１項に記載の前記人体用スペーサと、前記人体用スペーサを覆うための、少なくとも身体に接する側のシートが透湿性を有する、空気漏れの少ない袋状シート部と、前記袋状シート部に形成された空気が流入するための空気入口部と、前記袋状シート部に形成された空気を排出するための空気出口部とを備えることを特徴とする人体用空気流通路。
【請求項１２】
複数の枠状部と、一端が前記枠状部から起立するように形成された柱部、壁部又は柱部と壁部からなる起立部と、前記起立部の他端を連結する起立連結部とを有する凸部と、
隣り合う前記枠状部を縦方向及び横方向に連結するための、前記凸部を外側にして約１８０度曲げることができる可撓性を有する可撓連結部と、を備え、
前記凸部の中心間の距離であるピッチをＰミリメートルとすると、ピッチＰが５〜２００、スペーサが構成する空間の体積に対するスペーサの密度ρが（１０／Ｐ＋０．２）％〜（１２０／Ｐ＋１０）％、スペーサの高さｈが（３〜Ｐ）ミリメートル、となるように形成され且つ、前記枠状部と前記凸部と前記可撓連結部はプラスチックで一体的に形成されたことを特徴とする汎用スペーサ。
【請求項１３】
前記プラスチックは、ポリエチレン又はポリプロピレンであることを特徴とする請求項１２記載のスペーサ。
【請求項１４】
前記可撓連結部の長さＬは、前記Ｐ×（１０％〜６０％）ミリメートルであることを特徴とする請求項１２又は１３記載の汎用スペーサ。
【請求項１５】
前記起立部は前記枠状部から前記起立連結部に近づくにつれ、前記凸部の中心軸に近づくように傾斜して形成されていることを特徴とする請求項１２乃至１４の何れか１項に記載の汎用スペーサ。
【請求項１６】
前記枠状部は略四角形状に形成されており、前記起立部は前記枠状部の対向する２辺の各辺から起立する２つの壁部であることを特徴とする請求項１２乃至１５の何れか１項に記載の汎用スペーサ。
【請求項１７】
前記枠状部は略四角形状に形成されており、前記起立部は各枠状部ごとに４本の柱部で形成されていることを特徴とする請求項１２乃至１５の何れか１項に記載の汎用スペーサ。
【発明の詳細な説明】
【技術分野】
【０００１】
本発明は、例えば、身体を冷却する空調マット、空調座布団、空調椅子、空調衣服、空調ベッド等に用いられる人体用スペーサ及びその人体用スペーサを用いた人体用空気流通路、並びに各種の用途に用いられる汎用スペーサに関する。
【背景技術】
【０００２】
従来から、空調マット、空調座布団、空調椅子、空調衣服、空調ベッド等に用いられる各種の冷却用スペーサ及びそのスペーサを用いた人体用空気流通路が案出されている。例えば、本件発明者も、特許文献１記載の冷却用スペーサ及びそのスペーサを用いた冷却用空気流通路を提案している。特許文献１に記載されているように、従来の冷却用スペーサは、平板状のベース部材の上に、突起部を形成したものが多い。【０００３】
【特許文献１】国際公開第０１／２４６６４号パンフレット
【発明の開示】
【発明が解決しようとする課題】
【０００４】
ところで、上述した従来の冷却用スペーサを、例えば椅子やベッド等の上に敷いて用いる冷却装置（以下、空調マットとも称する。）に用いた場合、人が空調マットの上に座ったり、横になったりしたときに、多数の突起部の先端部が身体に突き当たるようになり、使用者にごつごつした感じを与えていた。このため、従来の冷却用スペーサでは、このごつごつ感を抑えるために、突起部の先端部の上に更にメッシュ状部材を設けたりしている。したがって、従来の冷却用スペーサを用いた空調マット等は、構造が複雑になり、それに伴い製造工程も複雑になり、コストが嵩むという問題があった。【０００５】
また、従来の冷却用スペーサは、平板状のベース部材の上に突起部を形成しており、この平板状に形成されたベース部材は柔軟性に欠けるため、折り畳んだりすることができなかった。このため、ベッドの上に敷いて用いる空調マットのように大きいものの場合、収納や運搬の際に大きなスペースを必要とするという問題があった。【０００６】
また、従来の冷却用スペーサは、平板状に形成されたベース部材が柔軟性に欠けるため、従来のスペーサを用いた各種の空調マットは、柔らかいマットレスやクッション等の上に置いて使用しても、マットレスやクッションの機能を弱めてしまい、使用者がマットレスやクッションの柔らかさを感じることができないという問題があった。【０００７】
また、従来の冷却用スペーサは重量が重いため、ベッドの上に敷いて使用する空調マットのように大きなものになると、移動したり、収納したりするときの取扱が容易でないという問題があった。【０００８】
更に、人体用のスペーサだけでなく、例えば従来のペット用シートに使用するスペーサや押入れ用スペーサなど、空気が流通する空間を確保するためのスペーサは、上述したように、平板状のベース部材の上に突起部を形成しており、この平板状に形成されたベース部材は柔軟性に欠けるため、折り畳んだりすることができなかった。また、従来のスペーサは重量が重いため、移動したり、収納したりするときの取扱が容易でないという問題があった。【０００９】
本発明は上記事情に基づいてなされたものであり、ごつごつ感を抑えることができ、収納スペースが小さく、しかも柔軟性の向上と軽量化を図ることができる人体用スペーサ及び人体用空気流通路を提供することを目的とする。【００１０】
また、本発明は上記事情に基づいてなされたものであり、収納スペースが小さく、しかも柔軟性の向上と軽量化を図ることができる汎用スペーサを提供することを目的とする。
【課題を解決するための手段】
【００１１】
上記の目的を達成するための請求項１記載の発明に係る人体用スペーサは、枠状部と、一端が前記枠状部から起立するように形成された柱部、壁部又は柱部と壁部からなる起立部と、前記起立部の他端を連結する起立連結部とを有する凸部と、前記凸部同士を連結する可撓性のある可撓連結部と、を備え、前記凸部は１ｍ２あたり少なくとも１００個形成され、前記凸部及び前記可撓連結部はプラスチックで一体的に形成され、身体の近傍に空気が流通する為の空間を確保することを特徴とする。【００１２】
また、上記の目的を達成するための請求項１１記載の発明に係る人体用空気流通路は、請求項１乃至１０の何れか１項に記載の前記人体用スペーサと、前記人体用スペーサを覆うための、少なくとも身体に接する側のシートが透湿性を有する、空気漏れの少ない袋状シート部と、前記袋状シート部に形成された空気が流入するための空気入口部と、前記袋状シート部に形成された空気を排出するための空気出口部とを備えることを特徴とする。【００１３】
また、上記の目的を達成するための請求項１２記載の発明に係る汎用スペーサは、複数の枠状部と、一端が前記枠状部から起立するように形成された柱部、壁部又は柱部と壁部からなる起立部と、前記起立部の他端を連結する起立連結部とを有する凸部と、隣り合う前記枠状部を縦方向及び横方向に連結するための、前記凸部を外側にして約１８０度曲げることができる可撓性を有する可撓連結部と、を備え、前記凸部の中心間の距離であるピッチをＰミリメートルとすると、ピッチＰが５〜２００、スペーサが構成する空間の体積に対するスペーサの密度ρが（１０／Ｐ＋０．２）％〜（１２０／Ｐ＋１０）％、スペーサの高さｈが（３〜Ｐ）ミリメートル、となるように形成されたことを特徴とする。
【発明の効果】
【００１４】
請求項１記載の発明に係る人体用スペーサによれば、枠状部、或いは枠状部とほぼ同じ大きさの起立連結部が身体に当接するので、突起部の先端部が身体に突き当たる従来の冷却用スペーサと異なり、使用者にごつごつした感じを与えることはない。また、隣り合う凸部を可撓連結部で連結することにより多数の凸部を一体的に形成しているのでベース部材を用いて突起部を連結する従来の冷却用スペーサと比べて、柔軟性の向上を図ることができる。また、本発明の人体用スペーサによれば、隣り合う凸部を可撓連結部で連結することにより多数の凸部を一体的に形成しているので容易に渦巻き状に巻いて収納することができ、従来の冷却用スペーサに比べて小さな収納スペースに収納することができる。更に、隣り合う凸部を可撓連結部で連結することにより多数の凸部を一体的に形成しているので、平板状のベース部材を用いた従来の冷却用スペーサに比べて、使用材料の量が少なく、重量を軽くすることができる。加えて、本発明の人体用スペーサによれば、身体の近傍に空気が流通するための空間を確保することができるので、身体から出た汗が蒸発してできる水蒸気は、この空間を介して外部に排出される。したがって、本発明の人体用スペーサは、身体からでた汗が気化するのを促進することができる。【００１５】
請求項１１記載の発明に係る人体用空気流通路によれば、枠状部、或いは枠状部とほぼ同じ大きさの起立連結部側を覆う上シートが身体と接触するので、突起部の先端が身体に突き当たる従来の空気流通路と異なり、使用者にごつごつした感じを与えることはない。また、隣り合う凸部を可撓連結部で連結することにより多数の凸部を一体的に形成しているので、ベース部材を用いて突起部を連結するスペーサを用いた従来の空気流通路と比べて、柔軟性の向上を図ることができる。また、本発明の人体用空気流通路によれば、各凸部を可撓連結部で連結することにより、一体的に形成しているので、凸部を内側にして容易に渦巻き状に巻いて収納することができ、従来のものに比べて小さな収納スペースに収納することができる。更に、各凸部を可撓連結部で連結することにより、平板状のベース部材を有するスペーサを用いた従来のものに比べて、使用材料の量が少なく、重量を軽くすることができる。加えて、本発明の人体用空気流通路によれば、身体の近傍に空気が流通するための空間を確保することができ、しかも、少なくとも身体に接する側のシートが透湿性を有するので、前記空間及び前記シートを介して、身体からでた汗が気化するのを促進することができ、また前記空間及び前記シートを介して汗が気化してできる水蒸気を外部に排出することができる。【００１６】
請求項１２記載の発明に係る汎用スペーサによれば、隣り合う枠状部を可撓連結部で連結することにより多数の凸部を一体的に形成しているので、ベース部材を用いて突起部を連結する従来のスペーサと比べて、柔軟性の向上を図ることができる。また、隣り合う枠状部を可撓連結部で連結することにより多数の凸部を一体的に形成しているので、容易に渦巻き状に巻いて収納することができ、従来のスペーサに比べて小さな収納スペースに収納することができる。また、隣り合う枠状部を可撓連結部で連結することにより多数の凸部を一体的に形成しているので、平板状のベース部材を用いた従来の冷却用スペーサに比べて、使用材料の量が少なく、重量を軽くすることができる。更に、本発明のスペーサによれば、例えばペット用シートに用いた場合、枠状部、或いは枠状部とほぼ同じ大きさの起立連結部が、ペットの身体に当接するので、突起部の先端部が身体に突き当たる従来の冷却用スペーサと異なり、ごつごつした感じを与えることはない。
【図面の簡単な説明】
【００１７】
【図１】図１（ａ）は本発明の第１実施形態である人体用スペーサの概略部分正面図、同図（ｂ）はその人体用スペーサの概略部分側面図である。
【図２】図２（ａ）は本発明の第１実施形態である人体用スペーサの一つの凸部の概略斜視図、同図（ｂ）はその人体用スペーサの概略部分斜視図である。
【図３】図３は、第１実施形態の起立連結部の変形例を示す図であり、同図（ａ）は本変形例であるスペーサの一つの凸部の概略斜視図、同図（ｂ）は第１実施形態の図２（ｂ）に対応する図であり、本変形例であるスペーサの概略部分斜視図である。
【図４】図４（ａ）は、本発明の第２実施形態であるスペーサの一つの凸部の概略斜視図、同図（ｂ）は第１実施形態の図２（ｂ）に対応する図であり、第２実施形態であるスペーサの概略部分斜視図である。
【図５】図５（ａ）は、本発明の第３実施形態である人体用スペーサの１つの凸部の概略斜視図、同図（ｂ）は第１実施形態の図２（ｂ）に対応する図であり、第３実施形態である人体用スペーサの概略部分斜視図である。
【図６】図６は本発明の第４実施形態の汎用スペーサの概略部分斜視図であり、第１実施形態のスペーサの図２（ｂ）に対応する図である。
【図７】図７は本発明の第５実施形態であるペット用シートの概略斜視図である。
【図８】図８は本発明の第６実施形態である空調マットをベッドの上に載せた状態を示す図である。
【図９】図９は本発明の第６実施形態である空調マットの概略平面図である。
【図１０】図１０は図９に示す空調マットのＣ−Ｃ矢視方向概略断面図である。
【図１１】図１１は他の実施形態のスペーサの例を示すものであり、同図（ａ）は１つの凸部とそれに連なる可撓連結部の概略斜視図、同図（ｂ）は凸部の枠状部の概略斜視図、同図（ｃ）は凸部の起立連結部の概略斜視図である。
【符号の説明】
【００１８】
１０，１０ａ，１０ｂ，１０ｃ，１０ｄ，１０ｅ    スペーサ
２０，２０ａ，２０ｂ，２０ｃ，２０ｄ，２０ｅ    凸部
２１，２１ｂ，２１ｅ，２１ｃ，    枠状部
２２，２２ｄ    柱部
２３，２３ａ，２３ｂ，２３ｃ，２３ｄ，２３ｅ    起立連結部
２４，２４ｃ，２４ｅ      壁部
２６，２６ｅ    可撓連結部
１００    空調マット
１１０    空気流通部
１１１    袋状シート部
１１２    空気入口部
１１１ａ    上シート
１１１ｂ    下シート
１２０    接続流通路
１３０    ファン
１４０    電源トランス
１５０    スイッチ
５００    ペット用シート
５１０    袋状シート部
【発明を実施するための最良の形態】
【００１９】
［第１実施形態］  以下に、図面を参照して、本願に係る発明を実施するための最良の形態について説明する。図１（ａ）は本発明の第１実施形態である人体用スペーサの概略正面図、同図（ｂ）はその人体用スペーサの概略側面図、図２（ａ）は本発明の第１実施形態である人体用スペーサの凸部の概略斜視図、同図（ｂ）は図１に示す人体用スペーサの概略部分斜視図である。【００２０】
本実施形態の人体用スペーサ１０は、枠状部２１を有する多数の凸部２０と、隣り合う枠状部２１を連結する可撓連結部２６とを備えている。【００２１】
本実施形態の凸部２０は、枠状部２１と、一端が枠状部２１に連なり枠状部２１から起立するように形成された起立部である４本の柱部２２と、その４本の柱部２２の他端を連結する起立連結部２３とを有する。本実施形態の人体用スペーサ１０は、例えば枠状部２１が形成されている側が身体に当接する側となり、起立連結部２３が形成されている側がクッション等に当接する側となる。枠状部２１は、略正方形状に形成され、各コーナに柱部２２が形成され、各辺の中央に可撓連結部２６が形成されている。【００２２】
本実施形態の可撓連結部２６は、隣り合う凸部２０を、枠状部２１を介し連結するためのものであり、枠状部２１の部材よりも厚さが薄い帯状部材によって形成されている。このように、可撓連結部２６の厚さを薄く形成することにより、可撓連結部２６に可撓性を持たせることができる。また、本実施形態では、可撓連結部２６は、起立連結部２３の側に突き出るように撓んで形成されている。可撓連結部の突き出る量は、可撓連結部２６を真っ直ぐに伸ばしたときと、撓ませたときで、少なくとも約５％の伸縮が生じるようにすることが望ましい。これは、人体用スペーサ１０全体の柔軟性を更に向上させるためである。なお、本発明の人体用スペーサの可撓連結部は、凸部を連結するものであれば、枠状部ではなく、起立部或いは起立連結部を連結するものであってもよい。【００２３】
人体用スペーサは、例えば椅子や寝具等の上に敷く空調マットに用いる場合、人体用空気流通路（以下、単に空気流通路とも称する。）を確保するために、人体の重みが加わっても凸部２０が潰れることがでないように形成する必要がある。本実施形態の人体用スペーサ１０では、凸部２０には人体の重みが加わっても潰れないような強度を持たせ、他方、可撓連結部２６は容易に変形するように、薄い帯状部材を用いて予め撓ませてある。かかる可撓連結部２６で連結された本実施形態の凸部２０は、１つ１つがほぼ独立して動くことができ、したがって人体用スペーサ１０全体として、柔軟性に富むものとなる。【００２４】
例えば、本実施形態の人体用スペーサをベッドの上に敷いて用いる空調マット等に使用する場合、本実施形態の可撓連結部２６は凸部２０の変形をともなうことなく、枠状部２１の側に約１８０度位、曲がるように形成することが望ましい。これにより、本マットの上に寝る就寝者の身体の形状に沿って人体用スペーサが変形し、また可撓連結部２６によって人体用スペーサが変形することにより、凸部は押し潰されることなく、必要な空間を容易に確保することができる。【００２５】
本実施形態の人体用スペーサ１０を用いた空調マットは、クッションの上に配置する場合でも、クッションの機能を大きく損なうことなく、しかも、空気流通路を確保して、例えば身体を冷却することができる。すなわち、本実施形態の人体用スペーサ１０を用いた、例えば空調マット等の冷却装置によれば、使用者は涼しく感じるだけでなく、クッションの柔らかさも十分に感じることができる。なお、本実施形態の人体用スペーサは、身体を冷却するだけでなく、空気流通路に温風を流通させることにより、身体を暖めることもできる。更に、本実施形態の人体用スペーサは、空気流通路にファン等を用いて周囲空気や温風を流すことなく、身体の下に空気流通路を確保するだけでもよい。この場合、空気流通路を介して、身体からでた汗が気化するのを促進することができ、また空気流通路を介して汗が気化してできる水蒸気を外部に排出することできる。また、本実施形態の人体用スペーサ１０は、変形が容易な可撓連結部２６を備えることにより、凸部を内側にして容易に渦巻き状に巻いて収納することができる。また、本実施形態の人体用スペーサ１０は、二つ折りや四つ折りに畳んで収納することも可能である。【００２６】
また、枠状部や可撓連結部は、枠状部や可撓連結部が形成されていない開口している部分（以下、単に開口部とも称する。）を水蒸気が容易に透過することができる大きさとなるように形成する。すなわち、枠状部及び可撓連結部は、枠状部が形成されている側のスペーサ面の全スペーサ面積に対して開口部の面積の割合が５０〜９５％となるように形成する。開口部の面積の割合が９５％より大きいと、スペーサの形成が困難になり、５０％より小さいと、体身体とスペーサとの接触面積が大きくなり過ぎ、気化した水蒸気がスペーサによって確保された空間に透過し難くなるという問題が生ずる。【００２７】
また、本人体用スペーサの枠状部は約縦１０ｍｍ×横１０ｍｍ×幅１ｍｍ×厚さ１．５ｍｍ、凸部は約高さ１０ｍｍ、起立連結部は約縦８ｍｍ×横８ｍｍ×厚さ１．５ｍｍ、柱部の径は約１．５ｍｍ、可撓連結部は約長さ５ｍｍ×幅３ｍｍ×厚さ１ｍｍである。なお、本発明の人体用スペーサは、これに限定されるものではなく、例えば本人体用スペーサの枠状部及び凸部は、１ｍ２当たり少なくとも約４００個を形成できれば、どのような大きさのものであってもよい。これより少ないと、凸部の大きさが大きくなって、柔軟性がなくなるか、或いは凸部の大きさを本実施形態の大きさと同じ位にすると、凸部の間隔が大きくなり空気が流通する空間を確保することが難しくなるという問題が生じるからである。また、本発明の人体用スペーサは、次のようにして特定することもできる。例えば、本発明の人体用スペーサは、スペーサが構成する空間の体積に対して密度が３０％以下であることが望ましい。本実施形態の人体用スペーサは、上記の様に構成されているので平板状のベース部材に突起部を設けた従来のスペーサに比べて使用材料の量が少なくて済み１ｍ２あたり１kg以下にすることが可能になる。【００２８】
また、人体用スペーサの高さは、約３ｍｍ〜５０ｍｍであることが望ましい。３ｍｍより低いと、空気流通路が小さくなってファン部の負荷が大きくなり、一方、５０ｍｍより高くしても、スペーサが大きくなるだけで、スペーサによる効果は変わらないからである。【００２９】
本実施形態の人体用スペーサ１０は、射出成形により、すなわち溶融したポリエチレン、ポリプロピレン等の樹脂を金型内に射出し、冷却して固化することにより形成することができる。【００３０】
図３は、第１実施形態の起立連結部の変形例を示す図であり、（ａ）は本変形例である人体用スペーサの凸部の概略斜視図、（ｂ）は第１実施形態の図２（ｂ）に対応する図であり、本変形例である人体用スペーサの概略部分斜視図である。【００３１】
本変形例の人体用スペーサは、第１実施形態の人体用スペーサとは起立連結部２３ａが異なるだけであり、他の部分は、第１実施形態のものと同じである。したがって、本変形例において、図１及び図２に示す第１実施形態のものと同一の機能を有するものには、同一の符号又は対応する符号を付することにより、その詳細な説明は省略する。図３に示すように、本変形例の人体用スペーサ１０ａの起立連結部２３ａはリング状に形成されている。その他の構成は、第１実施形態と同様である。また、本変形例の作用・効果も第１実施形態のものと同様である。【００３２】
［第２実施形態］  次に、本発明の第２実施形態について説明する。図４（ａ）は、本発明の第２実施形態である人体用スペーサの１つの凸部の概略斜視図、同図（ｂ）は第１実施形態の図２（ｂ）に対応する図であり、第２実施形態である人体用スペーサの概略部分斜視図である。【００３３】
本実施形態の人体用スペーサ１０ｂが第一実施形態の人体用スペーサと異なる点は起立部が４本の柱部のかわりに２つの壁部２４からなっているだけであり、他の部分は、第１実施形態のものと同じである。したがって、本実施形態において、図１及び図２に示す第１実施形態のものと同一の機能を有するものには、同一の符号又は対応する符号を付することにより、その詳細な説明は省略する。【００３４】
図４に示すように、本実施形態の起立部は４本の柱部のかわりに２つの壁部２４によって構成されている。したがって、本実施形態の人体用スペーサは、凸部がつぶれにくく、また人体用空気流通路として用いるときには、壁部を空気の流通する方向と平行になるように形成することにより、第一実施形態と同様に空気の抵抗を下げることができる。本実施形態のその他の作用・効果は第１実施形態のものと同様である。【００３５】
［第３実施形態］  次に、本発明の第３実施形態について説明する。図５（ａ）は、本発明の第３実施形態である人体用スペーサの１つの凸部の概略斜視図、同図（ｂ）は第１実施形態の図２（ｂ）に対応する図であり、第３実施形態である人体用スペーサの概略部分斜視図である。本実施形態の人体用スペーサの凸部２０ｃは、リング状に形成された枠状部２１ｃと、リング状の枠状部２１ｃから起立するように形成された円筒状の壁部２４ｃと、中央に円形の開口部を有する略ドーナツ状に形成された起立連結部２３ｃとを備えている。本実施形態のその他の部分は、第１実施形態のものと同じである。したがって、本実施形態において、図１及び図２に示す第１実施形態のものと同一の機能を有するものには、同一の符号又は対応する符号を付することにより、その詳細な説明は省略する。本実施形態の人体用スペーサの凸部２０ｃは、枠状部２１ｃと起立連結部２３ｃをつなぐ壁部２４ｃ全体が略円筒状に形成されているので、本実施形態の凸部２０ｃはさらにつぶれにくい。本実施形態のその他作用・効果は第１実施形態のものと同様である。【００３６】
［第４実施形態］  次に、本発明の第４実施形態について説明する。図６（ａ）は本発明の第４実施形態である汎用スペーサの概略部分斜視図である。なお、本実施形態の汎用スペーサの形状は、第１実施形態の人体用スペーサと略同じであり、本実施形態の凸部の概略斜視図は図２（ａ）に示すものと同様であるので、省略する。また、図６において、第１実施形態の人体用スペーサと同一の機能を有するものには同一の符号又は対応する符号を付することにより、その詳細な説明を省略する。【００３７】
本実施形態の汎用スペーサ１０ｄは、第１実施形態の人体用スペーサと同様に起立部は４本の柱部２２ｄよりなっている。また起立部は枠状部２１から起立連結部２３ｄに近づくにつれ、凸部２０の中心軸Ｘに近づく様に傾斜して形成されている。【００３８】
本実施形態の汎用スペーサ１０ｄは、凸部の中心間の距離であるピッチをＰミリメートルとすると、ピッチＰが５〜２００、スペーサが構成する空間の体積に対するスペーサの密度ρが（１０／Ｐ＋０．２）％〜（１２０／Ｐ＋１０）％、スペーサの高さｈが（３〜Ｐ）ミリメートルとなるように、また可撓連結部の長さＬはＰ×（１０％〜６０％）ミリメートルとなるように形成することが望ましい。密度ρが（１０／Ｐ＋０．２）％より小さいと、スペーサの凸部の強度が弱くなりすぎ、密度ρが（１２０／Ｐ＋１０）％より大きくなると、スペーサの通気性が悪くなり、重量が重たくなるからである。また、ピッチＰが５ミリメートルより小さいと、或いは、ピッチＰが２００ミリメートルより大きいと、スペーサを射出形成により形成することが難しくなるからである。また、本汎用スペーサの高さｈが３ミリメートルより小さいと、スペーサによって確保できる空間が狭くなりすぎ、スペーサとしての効果を発揮することが難しくなるからである。また本汎用スペーサの高さｈがＰミリメートルより大きいと、高さｈがピッチＰに対して高くなり過ぎ、凸部が変形し易くなり、したがって空間を確保するというスペーサとしての機能を維持することが難しくなるからである。更に、可撓連結部の長さＬがＰ×１０％より小さいと、可撓連結部を約１８０度曲げることが難しくなり、またＰ×６０％より大きくなると、凸部と凸部との間隔が大きくなり過ぎ、スペーサにより空間を確保することが難しくなるからである。本実施形態の汎用スペーサは、例えばピッチＰが１６．５ｍｍ、密度ρ＝６％、スペーサの高さｈ＝１０ｍｍ、可撓連結部の長さＬ＝６ｍｍである。本実施形態の汎用スペーサは、例えば、ポリエチレン、ポリプロピレン等のプラスチックの射出成形により、一体的に形成することができる。【００３９】
上記の本実施形態の汎用スペーサによれば、隣り合う枠状部２１を、可撓連結部２６で連結することにより、多数の凸部を一体的に形成しているので、凸部を内側にして容易に渦巻き状に巻いて収納することができ、従来のスペーサに比べて小さな収納スペースに収納することができ、運搬も容易となる。【００４０】
本実施形態の汎用スペーサのその他の作用・効果は、上述した第１実施形態のものと同様である。【００４１】
また、上述した本実施形態の汎用スペーサは、人体用に用いることがきるだけなく、例えばペット用シートに用いることができ、また、押入れの床と布団との間や、布団と布団との間に入れる湿気対策用の押入れ用スペーサとしても用いることができる。従来の押入れ用のスペーサとしては、木製のスノコ状のものが使用されているが、本実施形態の汎用スペーサによれば、使用しないときには巻いて収納することができるので、収納が容易となり、また、重量が軽いので、取り扱いが容易である。【００４２】
また、本実施形態の汎用スペーサは、スーパー等で野菜などの食品を陳列するときに、その食品の下に敷いて用いる食品用スペーサとして用いることができる。本発明の食品用スペーサによれば、使用しないときには巻いて収納することができるので、収納が容易となり、また、重量が軽いので、取り扱いが容易である。【００４３】
更に、本実施形態の汎用スペーサは、上述した押入れ用スペーサ、食品用スペーサとしてだけでなく、空間を確保する必要がある、あらゆる用途に使用することが可能である。例えば、屋外に設置された温水や冷水を流す配管材の外周に断熱用スペーサとして巻き付けて使用することも可能である。【００４４】
［第５実施形態］  次に、本発明の第５実施形態について説明する。図７は本発明の第５実施形態であるペット用シートの概略斜視図である。なお、本実施形態のペット用シートのスペーサには、上述した第４実施形態の汎用スペーサ１０ｄを使用している。【００４５】
本実施形態のペット用シート５００は、図７に示すように、汎用スペーサ１０ｄと、汎用スペーサ１０ｄを収納する袋状シート部５１０と、袋状シート部５１０の上シート５１０ａの四隅に形成された空気が流通するための流通口５１１とを備える。上シート５１０ａの四隅に形成された流通口５１１は、上シートに形成された開口部にメッシュ状部材を設けたものである。なお、流通口は、これに限定されるものではなく、例えば、流通口は、袋状シート部の起立部の全体、或いは起立部の一部に形成するようにしてもよい。【００４６】
上記の本実施形態のペット用シートによれば、凸部２０ｄの枠状部２１と可撓連結部２６がペットの身体に当接するので、突起部の先端がペットの身体に突き当たる従来のペット用シートと異なり、ペットにごつごつした感じを与えることはない。【００４７】
また、本ペット用シートに用いる汎用スペーサの形状は、第４実施形態のものに限定されるものではなく、上述した汎用スペーサの要件を満たすものであれば、形状は第１実施形態の変形例、第２実施形態或いは第３実施形態などの人体用スペーサの形状と同じものであってもよい。【００４８】
［第６実施形態］  次に、本発明の第６実施形態について説明する。図８は本発明の第６実施形態である空調マットをベッドの上に載せた状態を示す図、図９はその空調マットの概略平面図、図１０は図９に示す空調マットのＣ−Ｃ矢視方向概略断面図である。本実施形態の空調マット１００は、図９に示すように、ベッド１９０の上に載置して使用する。この空調マット１００は、図９及び図１０に示すように、空気流通路（人体用空気流通路）１１０と、接続流通路１２０と、ファン１３０と、商用電源（１００Ｖ）から人体に安全な電圧（例えば、１２Ｖや２４Ｖ）に降圧する降圧用の電源トランス１４０と、ファン１３０をオン・オフするためのスイッチ１５０とを有する。空気流通路１１０は、空気の通路であり、縦約９０ｃｍ、横約２００ｃｍ、の長方形状の人体用スペーサ１０と、袋状シート部１１１とからなる。すなわち、本実施形態では、人体用スペーサとして、第１実施形態の人体用スペーサ１０を用いている。したがって、本実施形態の人体用スペーサ１０において、第１実施形態の人体用スペーサと同一の機能を有するものには、同一の符号又は対応する符号を付することにより、その詳細な説明を省略する。なお、本実施形態では、第１実施形態の人体用スペーサ１０を使用する場合について説明するが、本発明は、これに限定されるものではなく、本実施形態で使用する人体用スペーサは、上述した変形例の人体用スペーサであっても、第２実施形態、第３実施形態或いは第４実施形態のスペーサであってもよい。【００４９】
また、本実施形態の空調マットに使用する人体用スペーサの場合、１ｍ２あたり１０００ｋｇの荷重をかけても凸部が破壊しない強度（耐圧力）が必要である。【００５０】
袋状シート部１１１の上シート１１１ａには、透湿性を有する部材、すなわち水蒸気を容易に透過し、空気が漏れ難いものであればどのような材質のものでも用いることができ、例えば、一般の綿布等を用いることができる。また、袋状シート部１１１の下シート１１１ｂには、空気が漏れ難いもの、例えばポリエステル繊維を高密度に織った布等を使用できる。【００５１】
接続流通路１２０は、面積の異なるファン１３０の吸引口と空気流通路１１０の空気出口部とをスムースに繋ぐための空間である。この接続流通路１２０は、プラスチックのような樹脂で形成してもよい。なお、本実施形態では、接続流通路にスペーサを配置していないが、接続流通路１２０にはスペーサを芯材として配置してもよい。本実施形態のファン１３０は、空気入口部１１２から外気を吸引して、空気流通路１１０及び接続流通路１２０に流すものである。【００５２】
本実施形態の空調マットを使用するときは、図８に示すように、本空調マットを接続流通路１２０がベッドの足側の外に位置するようにベッド上に載置する。また、上シート１１１ａが身体に当接するように上側に位置するように置く。この状態で、電源プラグをコンセントに差し込み、スイッチ１５０をオンにすると、ファン１３０は、空気入口部１１２から外気を吸引し、袋状シート部１１１内の空気を外部に排出するように回転する。空調マット１００の頭部近傍に形成された空気入口部１１２から吸い込まれた外気は、人体用スペーサ１０によって形成された空気流通路１１０を流れた後、接続流通路１２０を経て、ファン１３０の排出口から外部に排出される。【００５３】
上記の本実施形態の空調マットによれば、本空調マットの上に人が寝たときに、周囲の空気を身体のすぐ下に流すことによって、本空調マット上に寝ている人の本空調マットと接する身体近傍の温度勾配及び湿度勾配を大きくすることができる。このため、本空調マットの上に人が長時間寝ていても、本空調マットが体温で温まることはなく、且つ蒸れることもなく、使用者は快適な睡眠をとることができる。【００５４】
上記の本実施形態によれば、枠状部２１と起立連結部が身体に当接するので、従来の空調マットと異なり、使用者にごつごつした感じを与えることはない。【００５５】
また、上記の本実施形態によれば、各凸部２０を可撓連結部２６で連結することにより、多数の凸部２０を連結するので、ベース部材を用いて突起部を連結する従来のスペーサを用いた空調マットと比べて、柔軟性の向上を図ることができる。特に、可撓連結部２６を撓ませることにより、より柔軟性の向上を図ることができる。【００５６】
また上記の本実施形態によれば、隣り合う凸部２０を、可撓連結部２６で連結することにより、多数の凸部を一体的に形成しているので、例えば凸部側を内側にして容易に渦巻き状に巻いて収納することができ、従来の空調マットに比べて小さな収納スペースに収納することができ、運搬も容易となる。【００５７】
また上記の本実施形態によれば、隣り合う凸部２０を可撓連結部２６で連結することにより多数の凸部を一体的に形成しているので、平板状のベース部材に突起部を設けた従来のスペーサを用いた空調マットに比べて、使用材料の量が少なく、したがって全体の重量を軽くすることができる。【００５８】
なお、本発明は、上記の第６実施形態の空調マットに限定されるものではなく、本発明の空気流通路を用いた空調マットは、身体を冷却するだけでなく、空気流通路に温風を流通させることにより、身体を暖めるものであってもよい。また、本発明の空気流通路を用いた空調マットは、空気流通路に周囲空気や温風を流すファン等を設けることなく、身体の下に空気流通路を確保するだけでもよい。この場合、空気流通路を介して、身体からでた汗が気化するのを促進することができ、また空気流通路を介して汗が気化してできる水蒸気を外部に排出することがきる。【００５９】
［他の実施形態］  本発明は、上記の実施形態に限定されるものではなく、その要旨の範囲内において種々の変更が可能である。例えば、第１〜第４の各実施形態では、枠状部が主として四角形である場合について説明したが、枠状部は、例えば三角形状、五角形状、六角形状、円形状、楕円形状等であってもよい。【００６０】
また、上記の各実施形態では、可撓連結部が撓んだ形状に形成されている場合について説明したが、可撓連結部は撓ませないで平坦状に形成してもよい。【００６１】
また、上記の実施形態では、身体が当接する側である枠状部や可撓連結部は，枠状部が形成されている側のスペーサ面の全スペーサ面積に対して開口部の面積が５０％〜９５％の割合になる様に形成する場合について説明したが、起立連結部が身体に当接する側となる場合にも、同様に、起立連結部が形成されている側のスペーサ面の全スペーサ面積に対して、起立連結部が形成されていない開口部の面積の割合が少なくとも５０〜９５％となるように形成することが望ましい。【００６２】
また、第１，第４実施形態では起立部が柱部で、第２実施形態では起立部が壁部で構成されていたが、各起立部は、柱部と壁部、例えば４本の柱部と、その４本の柱部の内の隣り合う２本の柱部同士を繋ぐ１つの壁部とで形成するようにしてもよい。【００６３】
また、本発明の人体用スペーサ及び汎用スペーサは、上記形状のものに限定されるものではなく、次に述べるようなものであってもよい。図１１は、本発明の他の実施形態のスペーサの例を示す図であり、同図（ａ）は１つの凸部と、その凸部に連なる可撓連結部を示す概略斜視図、同図（ｂ）はその凸部の枠状部の概略斜視図、（ｃ）はその凸部の起立連結部の概略斜視図である。なお、図１１に示すスペーサの形状は、人体用スペーサと汎用スペーサの両方のスペーサに適用することができる。【００６４】
図１１に示すスペーサ１０ｅの凸部２０ｅの特徴は４ヶ所に切り込みのある円筒で形成され、切り込みの上端部に可撓連結部２６ｅが連なっている。したがって、この場合の枠状部２１ｅは同図（ｂ）に示すような形状をしている。この様に本発明の枠状部は平面的に形成されているものに限られるものではなく、立体的に形成されているものであってもよい。【００６５】
また、図１１に示すスペーサ１０ｅは、同図（ａ）に示すように、凸部２０ｅの起立部が円筒状をした１つの壁部で構成されており、この場合、図１１（ｃ）に示すように壁部の上端部そのものが起立連結部であると言える。【００６６】
また、本発明のスペーサの起立連結部は、起立連結部全体が平面状でも、半円球のように盛り上がっていても、さらに、中央に孔があいているドーナツ状であってもよい。また、起立部が４本の柱部で形成されている場合、起立連結部は柱部同士をつなぐ枠状でも良いし、対角線上の柱部同士をむすぶ、Ｘ字状でも良い。【００６７】
また、上記の実施形態では、枠状部と起立部と起立連結部は各々を区別することができるように形成する場合について説明したが、上述した図１１に示すスペーサのように、枠状部と起立部と起立連結部は各々を区別することができないように一体的に形成するようにしてもよい。【００６８】
さらに、第１実施形態の人体用スペーサでは凸部の数が４００個以上あれば良いと記載したが、無論数が多いほど下のクッション性を損なう事が少なく、例えば１ｍ２あたり２０００個あれば理想的だが、逆に４００個以下でもメッシュ状のシート部材、例えば（株）タキロンのトリカルネットＨ−０２をスペーサの両面に取り付けることにより１ｍ２あたり１００個でも人体用スペーサとして、人体とベッド等との間に空間を設けることは可能である。しかし、１００個以下だとクッション性を損なうだけでなくスペーサの両面に取り付けるメッシュ状のシート部材のコストが高くなり実用的ではない。【００６９】
また、上記の第６実施形態では、ファンは空気流通路内の空気を外部に排出するように回転する場合について説明したが、逆に、ファンは外気を空気流通路内に送り込むように回転するようにしてもよい。【００７０】
また、上記の実施形態では、スペーサの枠状部が身体に当接する側となる場合について説明したが、本発明はこれに限定されるものではなく、スペーサの起立連結部の側が身体に当接するようにしてもよい。なお、起立連結部の大きさが小さいと、空気流通路内を陰圧する場合、スペーサの凸部と凸部との隙間にシートが吸い込まれ、必要な風量を確保することができなくなる場合がある。このような場合には、スペーサとシートとの間に、メッシュ状のシート部材を配置して、シートがスペーサ内に吸い込まれないようにすることが望ましい。このメッシュ状のシート部材としては、網目の大きさが凸部と凸部との隙間より十分に小さなもの、例えば株式会社タキロンのトリカルネットＮ−３を使用することができる。【００７１】
また、上記の実施形態では、ベッドと空調マットとを別個のものとして形成する場合について説明したが、空調マットはベッドと一体的に形成するようにしてもよい。また、本発明の人体用スペーサや人体用空気流通路は、ベッドだけでなく、椅子、ソファー、自動車用シート、カーペット等にも用いることができる。【００７２】
また、上記の各実施形態では、射出成形によりスペーサを形成する場合について説明したが、本発明はこれに限定されるものではなく、射出成形以外の方法によって形成してもよい。
【産業上の利用可能性】
【００７３】
以上説明したように、本発明の人体用スペーサは、起立連結部、或いは枠状部と可撓連結部が身体に当接するので、従来の冷却用スペーサと異なり、使用者にごつごつした感じを与えることはない。また、各凸部を可撓連結部で連結することにより、多数の凸部を連結するので、ベース部材を用いて突起部を連結する従来の冷却用スペーサと比べて、柔軟性の向上を図ることができる。また、本発明の人体用スペーサによれば、各凸部を可撓連結部で連結することにより、一体的に形成しているので、容易に渦巻き状に巻いて収納することができ、従来の冷却用スペーサに比べて小さな収納スペースに収納することができる。更に、各凸部を可撓連結部で連結することにより、平板状のベース部材を用いた従来の冷却用スペーサに比べて、使用材料の量が少なく、重量を軽くすることができる。したがって、本発明は、ベッドや椅子や自動車用シートなどの上に敷く空調マット等に適用することができる。
【図１】
2007094130.tif 000003
【図２】
2007094130.tif 000004
【図３】
2007094130.tif 000005
【図４】
2007094130.tif 000006
【図５】
2007094130.tif 000007
【図６】
2007094130.tif 000008
【図７】
2007094130.tif 000009
【図８】
2007094130.tif 000010
【図９】
2007094130.tif 000011
【図１０】
2007094130.tif 000012
【図１１】
2007094130.tif 000013
【手続補正書】
【提出日】平成19年11月20日(2007.11.20)
【手続補正１】
【補正対象書類名】特許請求の範囲
【補正対象項目名】請求項１
【補正方法】変更
【補正の内容】
【請求項１】
枠状部と、一端が前記枠状部から起立するように形成された柱部、壁部又は柱部と壁部からなる起立部と、前記起立部の他端を連結する起立連結部とを有する凸部と、
隣り合う前記凸部を連結する可撓性のある可撓連結部と、を備え、
前記凸部は１ｍ２あたり少なくとも１００個形成され、
前記凸部及び前記可撓連結部はプラスチックで一体的に形成され、
身体の近傍に空気が流通する為の空間を確保することを特徴とする人体用スペーサ。
【手続補正２】
【補正対象書類名】特許請求の範囲
【補正対象項目名】請求項４
【補正方法】変更
【補正の内容】
【請求項４】
スペーサが構成する空間の体積に対して密度が３０％以下であることを特徴とする請求項１乃至３の何れか１項に記載の人体用スペーサ
【手続補正３】
【補正対象書類名】特許請求の範囲
【補正対象項目名】請求項１２
【補正方法】変更
【補正の内容】
【請求項１２】
複数の枠状部と、一端が前記枠状部から起立するように形成された柱部、壁部又は柱部と壁部からなる起立部と、前記起立部の他端を連結する起立連結部とを有する凸部と、
隣り合う前記枠状部を縦方向及び横方向に連結するための、前記凸部を外側にして約１８０度曲げることができる可撓性を有する可撓連結部と、を備え、
前記凸部の中心間の距離であるピッチをＰミリメートルとすると、ピッチＰが５〜２００、スペーサが構成する空間の体積に対するスペーサの密度ρが（１０／Ｐ＋０．２）％〜（１２０／Ｐ＋１０）％、スペーサの高さｈが（３〜Ｐ）ミリメートル、となるように形成され且つ、前記凸部と前記可撓連結部はプラスチックで一体的に形成されたことを特徴とする汎用スペーサ。
【手続補正４】
【補正対象書類名】特許請求の範囲
【補正対象項目名】請求項１３
【補正方法】変更
【補正の内容】
【請求項１３】
前記プラスチックは、ポリエチレン又はポリプロピレンであることを特徴とする請求項１２記載の汎用スペーサ。
【手続補正５】
【補正対象書類名】明細書
【補正対象項目名】００１１
【補正方法】変更
【補正の内容】
【００１１】
上記の目的を達成するための請求項１記載の発明に係る人体用スペーサは、枠状部と、一端が前記枠状部から起立するように形成された柱部、壁部又は柱部と壁部からなる起立部と、前記起立部の他端を連結する起立連結部とを有する凸部と、隣り合う前記凸部同士を連結する可撓性のある可撓連結部と、を備え、前記凸部は１ｍ２あたり少なくとも１００個形成され、前記凸部及び前記可撓連結部はプラスチックで一体的に形成され、身体の近傍に空気が流通する為の空間を確保することを特徴とする。
【手続補正６】
【補正対象書類名】明細書
【補正対象項目名】００１３
【補正方法】変更
【補正の内容】
【００１３】
また、上記の目的を達成するための請求項１２記載の発明に係る汎用スペーサは、複数の枠状部と、一端が前記枠状部から起立するように形成された柱部、壁部又は柱部と壁部からなる起立部と、前記起立部の他端を連結する起立連結部とを有する凸部と、隣り合う前記枠状部を縦方向及び横方向に連結するための、前記凸部を外側にして約１８０度曲げることができる可撓性を有する可撓連結部と、を備え、前記凸部の中心間の距離であるピッチをＰミリメートルとすると、ピッチＰが５〜２００、スペーサが構成する空間の体積に対するスペーサの密度ρが（１０／Ｐ＋０．２）％〜（１２０／Ｐ＋１０）％、スペーサの高さｈが（３〜Ｐ）ミリメートル、となるように形成され且つ、前記凸部と前記可撓連結部はプラスチックで一体的に形成されたことを特徴とする。
【手続補正７】
【補正対象書類名】明細書
【補正対象項目名】００６８
【補正方法】変更
【補正の内容】
【００６８】
さらに、第１実施形態の人体用スペーサでは凸部の数が４００個以上あれば良いと記載したが、無論数が多いほど下のクッション性を損なう事が少なく、例えば１ｍ２あたり２０００個あれば理想的だが、逆に４００個以下でもメッシュ状のシート部材、例えばタキロン株式会社のトリカルネット（登録商標）Ｈ−０２をスペーサの両面に取り付けることにより１ｍ２あたり１００個でも人体用スペーサとして、人体とベッド等との間に空間を設けることは可能である。しかし、１００個以下だとクッション性を損なうだけでなくスペーサの両面に取り付けるメッシュ状のシート部材のコストが高くなり実用的ではない。
【手続補正８】
【補正対象書類名】明細書
【補正対象項目名】００７０
【補正方法】変更
【補正の内容】
【００７０】
また、上記の実施形態では、スペーサの枠状部が身体に当接する側となる場合について説明したが、本発明はこれに限定されるものではなく、スペーサの起立連結部の側が身体に当接するようにしてもよい。なお、起立連結部の大きさが小さいと、空気流通路内を陰圧にする場合、スペーサの凸部と凸部との隙間にシートが吸い込まれ、必要な風量を確保することができなくなる場合がある。このような場合には、スペーサとシートとの間に、メッシュ状のシート部材を配置して、シートがスペーサ内に吸い込まれないようにすることが望ましい。このメッシュ状のシート部材としては、網目の大きさが凸部と凸部との隙間より十分に小さなもの、例えばタキロン株式会社のトリカルネット（登録商標）Ｎ−３を使用することができる。
【国際調査報告】
2007094130.tif 000014
2007094130.tif 000015
2007094130.tif 000016
2007094130.tif 000017